(57)【要約】【課題】  外気温度が低い冬期等においてヒートポンプの運転効率を向上させることができる給湯装置を提供する。【解決手段】  給湯装置は、水通路を第１ポンプ３２介装の管路Ｐ１５〜Ｐ１７を通じて貯湯タンク２１に接続され且つ暖房水通路を第２ポンプ３３介装の管路Ｐ１８及び管路Ｐ１９を通じて温水暖房機に接続された暖房用熱交換器３１と、ヒートポンプＨＰの蒸発器１７との相互熱交換を可能とした放熱用熱交換器３５と、暖房用熱交換器３１の水通路から送出された熱交換後水を必要に応じて放熱用熱交換器２５に送り込むための流路切換回路（三方切換弁３４及び管路Ｐ２０，Ｐ２１）を備える。【選択図】  図１
2008032346.tif 000002
【特許請求の範囲】
【請求項１】
圧縮機，湯沸かし用熱交換器，膨張弁及び蒸発器を有するヒートポンプと、貯湯タンクと、湯沸かし用熱交換器の水通路と貯湯タンクとを接続するポンプ介装の管路とを備えた給湯装置において、
水通路をポンプ介装の管路を通じて貯湯タンクに接続され且つ暖房水通路をポンプ介装の管路を通じて温水暖房機に接続された暖房用熱交換器と、
ヒートポンプの蒸発器との相互熱交換を可能とした放熱用熱交換器と、
暖房用熱交換器の水通路から送出された熱交換後水を必要に応じて放熱用熱交換器に送り込むための流路切換回路を備える、
ことを特徴とする給湯装置。
【請求項２】
流路切換回路は、暖房用熱交換器の水通路と貯湯タンクとを接続する管路途中に放熱用熱交換器の入口及び出口を接続する管路と、該管路に介装され暖房用熱交換器の水通路からの熱交換後水を貯湯タンクと放熱用熱交換器の何れか一方に送り込む切換弁を有する、
ことを特徴とする請求項１に記載の給湯装置。
【請求項３】
圧縮機，湯沸かし用熱交換器，膨張弁及び蒸発器を有するヒートポンプと、貯湯タンクと、湯沸かし用熱交換器の水通路と貯湯タンクとを接続するポンプ介装の管路とを備えた給湯装置において、
水通路をポンプ介装の管路を通じて貯湯タンクに接続され且つ暖房水通路をポンプ介装の管路を通じて温水暖房機に接続された暖房用熱交換器と、
ヒートポンプの蒸発器との相互熱交換を可能とした放熱用熱交換器と、
温水暖房機から戻された暖房水を必要に応じて放熱用熱交換器に送り込むための流路切換回路を備える、
ことを特徴とする給湯装置。
【請求項４】
流路切換回路は、暖房用熱交換器の暖房水通路の入口側に放熱用熱交換器の入口及び出口を接続する管路と、該管路に介装され温水暖房機から戻された暖房水を暖房用熱交換器の暖房水通路と放熱用熱交換器の何れか一方に送り込む切換弁を有する、
ことを特徴とする請求項３に記載の給湯装置。
【発明の詳細な説明】
【技術分野】
【０００１】
本発明は、ヒートポンプを熱源とした給湯装置に関する。
【背景技術】
【０００２】
この種の給湯装置は、圧縮機，湯沸かし用熱交換器，膨張弁及び蒸発器を有するヒートポンプと、貯湯タンクと、湯沸かし用熱交換器の水通路と貯湯タンクとを接続するポンプ介装の管路とを備える。
【０００３】
ヒートポンプ運転時にはポンプの運転によって貯湯タンク内の下層の低温水が湯沸かし用熱交換器の水通路に送り込まれ、該湯沸かし用熱交換器の水通路に送り込まれた低温水は冷媒との熱交換によって加熱された高温水と成り、該高温水は貯湯タンク内の上層に送り込まれる。
【特許文献１】特開２００４−２１１９８６
【発明の開示】
【発明が解決しようとする課題】
【０００４】
前記の給湯装置はヒートポンプを熱源とするものであるため、外気温度等を含む設置環境に応じてヒートポンプの運転効率が変化する。特に外気温度が低い冬期等では送風を利用しても蒸発器で所期の熱回収（冷媒蒸発）を行うことが難しくなるため、外気温度が高い夏期等に比べて蒸発能力が低下してヒートポンプの運転効率が低下してしまう。
【０００５】
本発明は前記事情に鑑みて創作されたもので、その目的とするところは、外気温度が低い冬期等においてヒートポンプの運転効率を向上させることができる給湯装置を提供することにある。
【課題を解決するための手段】
【０００６】
前記目的を達成するため、本発明は、圧縮機，湯沸かし用熱交換器，膨張弁及び蒸発器を有するヒートポンプと、貯湯タンクと、湯沸かし用熱交換器の水通路と貯湯タンクとを接続するポンプ介装の管路とを備えた給湯装置において、水通路をポンプ介装の管路を通じて貯湯タンクに接続され且つ暖房水通路をポンプ介装の管路を通じて温水暖房機に接続された暖房用熱交換器と、ヒートポンプの蒸発器との相互熱交換を可能とした放熱用熱交換器と、暖房用熱交換器の水通路から送出された熱交換後水を必要に応じて放熱用熱交換器に送り込むための流路切換回路を備える、ことをその特徴とする。
【０００７】
この給湯装置によれば、ヒートポンプ運転中で且つ暖房運転中のときに暖房用熱交換器の水通路から送出された熱交換後水を放熱用熱交換器に送り込むことにより、該熱交換後水の熱によって蒸発器を流れる冷媒の蒸発（熱回収）を促進させ且つ該蒸発器への着霜を抑制して、特に外気温度が低い冬期等においてヒートポンプの運転効率を向上させることができる。
【０００８】
また、本発明は、圧縮機，湯沸かし用熱交換器，膨張弁及び蒸発器を有するヒートポンプと、貯湯タンクと、湯沸かし用熱交換器の水通路と貯湯タンクとを接続するポンプ介装の管路とを備えた給湯装置において、水通路をポンプ介装の管路を通じて貯湯タンクに接続され且つ暖房水通路をポンプ介装の管路を通じて温水暖房機に接続された暖房用熱交換器と、ヒートポンプの蒸発器との相互熱交換を可能とした放熱用熱交換器と、温水暖房機から戻された暖房水を必要に応じて放熱用熱交換器に送り込むための流路切換回路を備える、ことをその特徴とする。
【０００９】
この給湯装置によれば、ヒートポンプ運転中で且つ暖房運転中のときに温水暖房機から戻された暖房水を放熱用熱交換器に送り込むことにより、該戻り暖房水の熱によって蒸発器を流れる冷媒の蒸発（熱回収）を促進させ且つ該蒸発器への着霜を抑制して、特に外気温度が低い冬期等においてヒートポンプの運転効率を向上させることができる。
【発明の効果】
【００１０】
本発明によれば、暖房用熱交換器からの熱交換後水または戻り暖房水の熱を利用して蒸発器を流れる冷媒の蒸発（熱回収）を促進させ且つ該蒸発器への着霜を抑制して、特に外気温度が低い冬期等においてヒートポンプの運転効率を向上させることができる。
【００１１】
本発明の前記目的とそれ以外の目的と、構成特徴と、作用効果は、以下の説明と添付図面によって明らかとなる。
【発明を実施するための最良の形態】
【００１２】
［第１実施形態］
図１〜図３は本発明（給湯装置）の第１実施形態を示す。図１は給湯装置の全体構成図、図２は図１に示した給湯装置のコントロールシステム、図３は図１に示した給湯装置の流路切り換えに係るフローチャートである。
【００１３】
まず、図１を参照して、給湯装置の全体構成について説明する。
【００１４】
図１に示した給湯装置は、ヒートポンプユニット１０と、タンクユニット２０と、暖房ユニット３０とを備えている。
【００１５】
ヒートポンプユニット１０は、圧縮機１１と、湯沸かし用熱交換器１２と、膨張弁１３と、蒸発器１４と、これら機器を接続する冷媒管路とから構成されたヒートポンプＨＰと、蒸発器用の送風機１５とを含んでいる。湯沸かし用熱交換器１２は互いに分離した冷媒通路と水通路を相互伝熱可能な状態で内部に有していて、冷媒管路は冷媒通路の入口及び出口に接続されている。圧縮機１１には回転数制御可能な能力可変型のものが好ましく用いられ、膨張弁１３には開度制御可能な電子式のものが好ましく用いられている。また、ヒートポンプＨＰには冷媒として二酸化炭素（ＣＯ2 ）が好ましく用いられている。
【００１６】
タンクユニット２０は、所定量の湯或いは湯及び水を満水状態で貯留可能な貯湯タンク２１と、貯湯タンク２１内の下層の低温水を湯沸かし用熱交換器１２に送り込むための第１ポンプ２２とを含んでいる。貯湯タンク２１の下部とヒートポンプＨＰの湯沸かし用熱交換器１２の水通路の入口とは第１ポンプ２２を介装した第１管路Ｐ１１によって接続され、貯湯タンク２１の上部と湯沸かし用熱交換器１２の水通路の出口とは第２管路Ｐ１２によって接続されている。また、貯湯タンク２１の上部には該貯湯タンク２１内の上層の高温水を台所や洗面所や風呂場等に送出するための第３管路Ｐ１３の一端が接続され、該貯湯タンク２１の下部には該貯湯タンク２１内に消費分の水を取り込むための水道管等の第４管路Ｐ１４の一端が接続されている。また、第１ポンプ２２には回転制御可能なものが好ましく用いられている。
【００１７】
暖房ユニット３０は、互いに分離した水通路と暖房水通路を相互伝熱可能な状態で内部に有する暖房用熱交換器３１と、貯湯タンク２１内の上層の高温水を暖房用熱交換器３１の水通路に送り込むための第２ポンプ３２と、暖房用熱交換器３１の暖房水通路と床暖房機等の温水暖房機（図示省略）との間で暖房水を循環させるための第３ポンプ３３と、戻り暖房水の流路を切り換えるための電磁式の三方切換弁３４と、放熱用熱交換器３５とを含んでいる。
【００１８】
放熱用熱交換器３５はヒートポンプＨＰの蒸発器１４との相互熱交換を可能としている。具体的には、蒸発器１４に熱交換器を熱的に結合させて該熱交換器を放熱用熱交換器３５とする形態の他、２つの管路と両管路に接触配置された共有のフィンとを有する１台の熱交換器の一方の管路側を蒸発器１４とし他方の管路側を放熱用熱交換器３５とする形態等が採用できる。
【００１９】
暖房用熱交換器３１の水通路の入口と貯湯タンク２１の上部とは第５管路Ｐ１５によって接続され、水通路の出口と三方切換弁３４の１つのポートとは第６管路Ｐ１６によって接続されている。また、暖房用熱交換器３１の暖房水通路の入口は第３ポンプ３３を介装した第８管路Ｐ１８を通じて床暖房機等の温水暖房機（図示省略）の出口側に接続され、暖房水通路の出口は第９管路Ｐ１９を通じて床暖房機等の温水暖房機（図示省略）の入口側に接続されている。
【００２０】
三方切換弁３４の他の１つのポートと放熱用熱交換器３５の入口とは第１０管路Ｐ２０によって接続され、放熱用熱交換器３５の出口と三方切換弁３４の残り１つのポートとは第１１管路Ｐ２１によって接続されている。
【００２１】
第２ポンプ３２は第７管路Ｐ１７に介装されていて、該第７管路Ｐ１７の一端は第１１管路Ｐ２１の途中に接続され、該第７管路Ｐ１７の他端は貯湯タンク２１の中間部よりもやや下側位置に接続されている。また、第２ポンプ３２と第３ポンプ３３には回転制御可能なものが好ましく用いられている。
【００２２】
因みに、図１に示した給湯装置にあっては、三方切換弁３４，第１０管路２０及び第１１管路２１が請求項１で言うところの「流路切換回路」に相当する。
【００２３】
次に、図２を参照して、図１に示した給湯装置のコントロールシステムについて説明する。
【００２４】
図２に示したシステムは、マイクロコンピュータを内蔵したコントローラ５１と、ヒートポンプ用ドライバ５２と、ポンプ用ドライバ５３と、三方切換弁用ドライバ５４と、運転設定器５５とを備えている。コントローラ５２のメモリには、運転設定器５５を通じて設定された事項に基づいて貯湯並びに温水暖房を行うためのプログラムの他に図３に示す三方切換弁の切り換えに係るプログラム等をこれらに必要なデータと共に格納している。
【００２５】
ヒートポンプ用ドライバ５２には圧縮機１１と膨張弁１３と送風機１５が接続されていて、該ドライバ５２はコントローラ５１からの制御信号に基づいて圧縮機１１と膨張弁１３と送風機１５のそれぞれに駆動信号を送出する。
【００２６】
ポンプ用ドライバ５３には第１ポンプ２２，第２ポンプ３２及び第３ポンプ３３が接続されていて、該ドライバ５３はコントローラ５１からの制御信号に基づいて第１ポンプ２２，第２ポンプ３２及び第３ポンプ３３のそれぞれに駆動信号を送出する。
【００２７】
三方切換弁用ドライバ５４には三方切換弁３５が接続されていて、該ドライバ５４はコントローラ５１からの制御信号に基づいて三方切換弁３４に駆動信号を送出する。
【００２８】
次に、図３を参照して、図１に示した給湯装置の運転方法について説明する。
【００２９】
ヒートポンプ運転時には第１ポンプ３２の運転によって貯湯タンク２１内の下層の低温水が第１管路Ｐ１１を通じて湯沸かし用熱交換器１２の水通路に送り込まれる。湯沸かし用熱交換器１２の水通路に送り込まれた低温水は冷媒との熱交換によって加熱された高温水と成り、該高温水は第２管路Ｐ１２を通じて貯湯タンク２１内の上層に送り込まれる。ヒートポンプＨＰは、基本的には、予め設定された所定量の高温水が貯湯タンク２１内に貯まったところで運転を一時的に停止し、除霜運転中にも運転を一時的に停止する。
【００３０】
また、暖房運転時には第２ポンプ３２の運転によって貯湯タンク２１内の上層の高温水が第５管路Ｐ１５を通じて暖房用熱交換器３１の水通路に送り込まれると共に、第３ポンプ３３の運転によって温水暖房機から戻された暖房水が暖房用熱交換器３１の暖房水通路に送り込まれ、該戻り暖房水は高温水との熱交換によって加熱されて高温の暖房水と成り、該高温の暖房水は第９管路Ｐ１９を通じて温水暖房機に送り込まれる。
【００３１】
三方切換弁３４は通常は第６管路Ｐ１６と第１１管路Ｐ２１（第７管路Ｐ１７）とが連通する位置に切り換えられているが、ヒートポンプ運転中で且つ暖房運転中のとき、または、除霜運転中で且つ暖房運転中のときは、第６管路Ｐ１６と第１０管路Ｐ２０とが連通する位置に切り換えられる（図３のステップＳＰ１〜ＳＰ５参照）。
【００３２】
つまり、ヒートポンプ運転中で且つ暖房運転中のとき、または、除霜運転中で且つ暖房運転中のときには、暖房用熱交換器３１の水通路から送出された熱交換後水（熱交換によって熱を奪われて温度低下した例えば４０〜５０℃程度の湯）は第６管路Ｐ１６を通じて三方切換弁３４に送り込まれ、該三方切換弁３４から第１０管路Ｐ２０を通じて放熱用熱交換器３５に送り込まれる。
【００３３】
放熱用熱交換器３５はヒートポンプＨＰの蒸発器１４との相互熱交換を可能としているため、ヒートポンプ運転中には放熱用熱交換器３５に送り込まれる熱交換後水の熱によって蒸発器１４を流れる冷媒の蒸発（熱回収）が促進され且つ該蒸発器１４への着霜が抑制され、ヒートポンプＨＰの運転効率が向上する。また、除霜運転中には放熱用熱交換器３５に送り込まれる熱交換後水の熱によって蒸発器１４の除霜が促進され、除霜時間の短縮等による除霜の効率化が図られる。
【００３４】
第１０管路Ｐ２０を通じて放熱用熱交換器３５に送り込まれた熱交換後水は前記の熱交換によって熱を奪われて温度低下して低温水となり、該低温水は第７管路Ｐ１７を通じて貯湯タンク２１に送り込まれる。
【００３５】
ヒートポンプ運転中で且つ暖房運転中の状態でヒートポンプ運転が停止したとき、また、除霜運転中で且つ暖房運転中の状態で除霜運転が停止したときには、三方切換弁３４は第６管路Ｐ１６と第１１管路Ｐ２１（第７管路Ｐ１７）とが連通する位置に切り換えられる（図３のステップＳＰ１〜ＳＰ４，ＳＰ６参照）。
【００３６】
つまり、ヒートポンプ運転が停止中で且つ暖房運転中のとき、または、除霜運転が停止中で且つ暖房運転中のときには、暖房用熱交換器３１の水通路から送出された熱交換後水は放熱用熱交換器３５に送り込まれずにそのまま三方切換弁３４，第１１管路Ｐ２１の一部及び第７管路Ｐ１７を通じて貯湯タンク２１に送り込まれる。
【００３７】
このように第１実施形態によれば、ヒートポンプ運転中で且つ暖房運転中のときには、暖房用熱交換器３１の水通路から送出された熱交換後水を放熱用熱交換器３５に送り込んで、該熱交換後水の熱によって蒸発器１４を流れる冷媒の蒸発（熱回収）を促進させ且つ該蒸発器１４への着霜を抑制して、特に外気温度が低い冬期等においてヒートポンプＨＰの運転効率を向上させることができる。
【００３８】
また、除霜運転中で且つ暖房運転中のときには、暖房用熱交換器３１の水通路から送出された熱交換後水を放熱用熱交換器３５に送り込んで、該熱交換後水の熱によって蒸発器１４の除霜を促進して、除霜時間の短縮等による除霜の効率化を図ることができる。
【００３９】
尚、前述の第１実施形態では、放熱用熱交換器３５への熱交換後水を送り込みを選択的に行うために三方切換弁３４を用いたが、複数の電磁式開閉弁を利用して同様の流路切換を行うようにしてもよい。
【００４０】
［第２実施形態］
図４は本発明（給湯装置）の第２実施形態を示す、給湯装置の全体構成図である。
【００４１】
まず、第２実施形態が前述の第１実施形態と異なる点について説明する。
【００４２】
第２実施形態が前述の第１実施形態と異なるところは、暖房ユニット３０’における暖房用熱交換器３１の水通路の出口にその一端を接続された第６管路Ｐ１６に第２ポンプ３２を介装してその他端を貯湯タンク２１の中間部よりもやや下側位置に接続した点と、第３ポンプ３３が介装された第８管路Ｐ１８を三方切換弁３４の１つのポートに接続した点と、三方切換弁３４の他の１つのポートと暖房用熱交換器３１の暖房水通路の入口を第１２管路Ｐ２２によって接続した点と、三方切換弁３４の残りの１つのポートと放熱用熱交換器３５の入口とを第１３管路Ｐ２３によって接続した点と、放熱用熱交換器３５の出口と暖房用熱交換器３１の暖房水通路の入口を第１４管路Ｐ２４によって接続した点にある。尚、暖房用熱交換器３１に対する第１４管路Ｐ２４の接続位置は必ずしも暖房水通路の入口である必要はなく、該入口近傍に設けた他の入口に接続してもよい。
【００４３】
他の構成は前述の第１実施形態と同じであるので、同一符号を用いてその説明を省略する。因みに、図４に示した給湯装置にあっては、三方切換弁３４，第１２管路２２，第１３管路２３及び第１４管路２４が請求項３で言うところの「流路切換回路」に相当する。
【００４４】
次に、図３を参照して、図４に示した給湯装置の運転方法について説明する。
【００４５】
ヒートポンプ運転時には第１ポンプ３２の運転によって貯湯タンク２１内の下層の低温水が第１管路Ｐ１１を通じて湯沸かし用熱交換器１２の水通路に送り込まれる。湯沸かし用熱交換器１２の水通路に送り込まれた低温水は冷媒との熱交換によって加熱された高温水と成り、該高温水は第２管路Ｐ１２を通じて貯湯タンク２１内の上層に送り込まれる。ヒートポンプＨＰは、基本的には、予め設定された所定量の高温水が貯湯タンク２１内に常に貯まったところで運転を一時的に停止し、除霜運転中にも運転を一時的に停止する。
【００４６】
また、暖房運転時には第２ポンプ３２の運転によって貯湯タンク２１内の上層の高温水が第５管路Ｐ１５を通じて暖房用熱交換器３１の水通路に送り込まれると共に、第３ポンプ３３の運転によって温水暖房機から戻された暖房水が暖房用熱交換器３１の暖房水通路に送り込まれ、該戻り暖房水は高温水との熱交換によって加熱されて高温の暖房水と成り、該高温の暖房水は第９管路Ｐ１９を通じて温水暖房機に送り込まれる。
【００４７】
三方切換弁３４は通常は第８管路Ｐ１８と第１２管路Ｐ２２とが連通する位置に切り換えられているが、ヒートポンプ運転中で且つ暖房運転中のとき、または、除霜運転中で且つ暖房運転中のときは、第８管路Ｐ１８と第１３管路Ｐ２３とが連通する位置に切り換えられる（図３のステップＳＰ１〜ＳＰ５参照）。
【００４８】
つまり、ヒートポンプ運転中で且つ暖房運転中のとき、または、除霜運転中で且つ暖房運転中のときには、温水暖房機から戻された暖房水が三方切換弁３４から第１３管路Ｐ２３を通じて放熱用熱交換器３５に送り込まれる。
【００４９】
放熱用熱交換器３５はヒートポンプＨＰの蒸発器１４との相互熱交換を可能としているため、ヒートポンプ運転中には放熱用熱交換器３５に送り込まれる戻り暖房水の熱によって蒸発器１４を流れる冷媒の蒸発（熱回収）が促進され且つ該蒸発器１４への着霜が抑制され、ヒートポンプＨＰの運転効率が向上する。また、除霜運転中には放熱用熱交換器３５に送り込まれる戻り暖房水の熱によって蒸発器１４の除霜が促進され、除霜時間の短縮等による除霜の効率化が図られる。
【００５０】
第１３管路Ｐ２３を通じて放熱用熱交換器３５に送り込まれた戻り暖房水は前記の熱交換によって熱を奪われて温度低下し、該戻り暖房水は第１４管路Ｐ２４を通じて暖房用熱交換器３１の暖房水通路に送り込まれる。
【００５１】
ヒートポンプ運転中で且つ暖房運転中の状態でヒートポンプ運転が停止したとき、また、除霜運転中で且つ暖房運転中の状態で除霜運転が停止したときには、三方切換弁３４は第８管路Ｐ１８と第１２管路Ｐ２２とが連通する位置に切り換えられる（図３のステップＳＰ１〜ＳＰ４，ＳＰ６参照）。
【００５２】
つまり、ヒートポンプ運転が停止中で且つ暖房運転中のとき、または、除霜運転が停止中で且つ暖房運転中のときには、第８管路Ｐ１８を通じて温水暖房機から戻された暖房水は放熱用熱交換器３５に送り込まれずにそのまま三方切換弁３４及び第１２管路Ｐ２２を通じて暖房用熱交換器３１の暖房水通路に送り込まれる。
【００５３】
このように第２実施形態によれば、ヒートポンプ運転中で且つ暖房運転中のときには、温水暖房機から戻された暖房水を放熱用熱交換器３５に送り込んで、該戻り暖房水の熱によって蒸発器１４を流れる冷媒の蒸発（熱回収）を促進させ且つ該蒸発器１４への着霜を抑制して、特に外気温度が低い冬期等においてヒートポンプＨＰの運転効率を向上させることができる。
【００５４】
また、除霜運転中で且つ暖房運転中のときには、温水暖房機から戻された暖房水を放熱用熱交換器３５に送り込んで、該戻り暖房水の熱によって蒸発器１４の除霜を促進して、除霜時間の短縮等による除霜の効率化を図ることができる。
【００５５】
尚、前述の第２実施形態では、放熱用熱交換器３５への戻り暖房水の送り込みを選択的に行うために三方切換弁３４を用いたが、複数の電磁式開閉弁を利用して同様の流路切換を行うようにしてもよい。
【００５６】
［他の実施形態］
図５と図６は図３に示した流路切り換えに係るフローチャートの変形例をそれぞれ示す。
【００５７】
図５に示したフローチャートが図３に示したフローチャートと異なるところは、ステップＳＰ５の前段に外気温度を判断するステップＳＰ７を挿入した点にある。つまり、ヒートポンプ運転中で且つ暖房運転中のとき、または、除霜運転中で且つ暖房運転中のときには、今現在の外気温度Ｔｏが予め設定した基準温度Ｔｏｓよりも低いか否かが判別され、外気温度Ｔｏ＜基準温度ＴｏｓのときにはステップＳＰ５に移行し、また、外気温度Ｔｏ≧基準温度ＴｏｓのときにはステップＳＰ６に移行する。
【００５８】
図５に示したフローチャートは図１に示した給湯装置と図４に示した給湯装置に利用することができる。図５に示したフローチャートを図１に示した給湯装置に利用した場合には、ヒートポンプ運転中で且つ暖房運転中のとき、または、除霜運転中で且つ暖房運転中のときでも、外気温度Ｔｏ≧基準温度Ｔｏｓで外気温度Ｔｏとの関係で送風のみでも蒸発器１４の熱回収（冷媒蒸発）がある程度以上満足して行えるときには、暖房中であっても暖房用熱交換器３１の水通路から送出された熱交換後水は放熱用熱交換器３５に送り込まれない。つまり、外気温度Ｔｏを判断条件とした付加することにより、暖房用熱交換器３１の水通路から送出された熱交換後水の放熱用熱交換器３５への送り込みを適切に行える。
【００５９】
また、図５に示したフローチャートを図４に示した給湯装置に利用した場合には、ヒートポンプ運転中で且つ暖房運転中のとき、または、除霜運転中で且つ暖房運転中のときでも、外気温度Ｔｏ≧基準温度Ｔｏｓで外気温度Ｔｏとの関係で送風のみでも蒸発器１４の熱回収（冷媒蒸発）がある程度以上満足して行えるときには、暖房中であっても温水暖房機から戻された暖房水は放熱用熱交換器３５に送り込まれない。つまり、外気温度Ｔｏを判断条件とした付加することにより、温水暖房機から戻された暖房水の放熱用熱交換器３５への送り込みを適切に行える。
【００６０】
一方、図６に示したフローチャートが図３に示したフローチャートと異なるところは、ステップＳＰ５の前段に戻り暖房水温度（温水暖房機から戻された暖房水の温度）を判断するステップＳＰ８を挿入した点にある。つまり、つまり、ヒートポンプ運転中で且つ暖房運転中のとき、または、除霜運転中で且つ暖房運転中のときには、戻り暖房水温度Ｔｗｉが予め設定した基準温度Ｔｗｉｓよりも高いが否かが判別され、戻り暖房水温度Ｔｗｉ＞基準温度ＴｗｉｓのときにはステップＳＰ５に移行し、また、戻り暖房水温度Ｔｗｉ≦基準温度ＴｗｉｓのときにはステップＳＰ６に移行する。
【００６１】
図６に示したフローチャートは図４に示した給湯装置に利用することができる。図５に示したフローチャートを図４に示した給湯装置に利用した場合には、ヒートポンプ運転中で且つ暖房運転中のとき、または、除霜運転中で且つ暖房運転中のときでも、戻り暖房水温度Ｔｗｉ≦基準温度Ｔｗｉｓで戻り暖房水を放熱用熱交換器３５に送り込んでも蒸発器１４の熱回収（冷媒蒸発）が促進されないとき或いは促進され難いときには、暖房中であっても温水暖房機から戻された暖房水は放熱用熱交換器３５に送り込まれない。つまり、戻り暖房水温度Ｔｗｉを判断条件とした付加することにより、温水暖房機から戻された暖房水の放熱用熱交換器３５への送り込みを適切に行える。
【００６２】
図６に示したフローチャートには図５に示した外気温度判断のステップＳＰ７をステップＳＰ８の前段または後段に挿入することもでき、この場合には、戻り暖房水温度Ｔｗｉと外気温度Ｔｏの両方を判断条件とした付加することにより、温水暖房機から戻された暖房水の放熱用熱交換器３５への送り込みをより適切に行える。
【図面の簡単な説明】
【００６３】
【図１】本発明の第１実施形態を示す、給湯装置の全体構成図である。
【図２】図１に示した給湯装置のコントロールシステムを示す図である。
【図３】図１に示した給湯装置の流路切り換えに係るフローチャートである。
【図４】本発明の第２実施形態を示す、給湯装置の全体構成図である。
【図５】図３に示した流路切り換えに係るフローチャートの変形例である。
【図６】図３に示した流路切り換えに係るフローチャートの他の変形例である。
【符号の説明】
【００６４】
１０…ヒートポンプユニット、ＨＰ…ヒートポンプ、１１…圧縮機、１２…湯沸かし用熱交換器、１３…膨張弁、１４…蒸発器、２０…タンクユニット、２１…貯湯タンク、２２…第１ポンプ、３０，３０’…暖房ユニット、３１…暖房用熱交換器、３２…第２ポンプ、３３…第３ポンプ、３４…三方切換弁、３５…放熱用熱交換器、Ｐ１１〜Ｐ２４…管路。
【図１】
2008032346.tif 000003
【図２】
2008032346.tif 000004
【図３】
2008032346.tif 000005
【図４】
2008032346.tif 000006
【図５】
2008032346.tif 000007
【図６】
2008032346.tif 000008